(57)【要約】【課題】梱包使用時には保持手段が梱包対象物品を安定保持するという本来予定の保持機能を繰り返し確実に発揮することができる梱包用容器を提供する。【解決手段】容器本体１１は、矩形状をなす各側面部１３ａ〜１３ｄと、当該各側面部１３ａ〜１３ｄの下端縁に折り曲げ可能な態様で連設された各底片部と、前記側面部１３ａ〜１３ｄの上端縁に折り曲げ可能な態様で連設された各蓋片部１８ａ〜１８ｄとから構成されている。また、右底片部、左底片部、右蓋片部１８ｂ及び左蓋片部１８ｄの自由端側部位を折り曲げることで、容器本体１１内に収容される梱包対象物品を移動不能に保持するための重合部、及び折曲げ部２０ｂ，２０ｄが形成される。つまり、保持手段である重合部及び折曲げ部２０ｂ，２０ｄは、容器本体１１と一体化されているため、梱包用容器１０の保管中に紛失する虞がない。【選択図】      図７
2005145489.tif 000002
【特許請求の範囲】
【請求項１】
梱包対象物品を収容可能な容体形状をなす容器本体に前記梱包対象物品を容器本体内において移動不能に保持するための保持手段を一体化した梱包用容器。
【請求項２】
前記容器本体は、方形状をなす前後左右の各側面部が平面視において平行四辺形を形成するように四角環状に繋がってなる側壁部と、当該側壁部の下端縁に折り曲げ可能な態様で連設された底片部と、前記側壁部の上端縁に折り曲げ可能な態様で連設された蓋片部とから構成されている請求項１に記載の梱包用容器。
【請求項３】
前記保持手段は、前記底片部及び蓋片部のうち少なくとも何れか一方に一体化されている請求項２に記載の梱包用容器。
【請求項４】
前記保持手段は、前記底片部及び蓋片部のうち少なくとも何れか一方の所定部位が所定の保持手段形成態様に変形又は加工されることで形成される請求項３に記載の梱包用容器。
【請求項５】
前記保持手段は、前記底片部及び蓋片部のうち少なくとも何れか一方の自由端側部位が容器本体の内方へ向けて折り曲げられることで形成される請求項３又は請求項４に記載の梱包用容器。
【請求項６】
前記容器本体内の収容空間を複数の梱包対象物品を別々に収容可能な複数の収容空間に仕切るための仕切手段を更に備えた請求項１〜請求項５のうち何れか一項に記載の梱包用容器。
【請求項７】
前記仕切手段は、前記容器本体に一体化されている請求項６に記載の梱包用容器。
【請求項８】
前記仕切手段は、折り畳み可能な板状体である請求項７に記載の梱包用容器。
【発明の詳細な説明】
【技術分野】
【０００１】
本発明は、例えば遊技機構成部材等の物品を梱包するための梱包用容器に関する。
【背景技術】
【０００２】
従来、遊技機（例えばパチンコ遊技機）は、新機種が開発・導入されると、外枠を除く殆ど全ての遊技機構成部材（中枠、前枠、遊技盤等）が旧機種のものから新機種のものに機台単位で交換されていた。そして、その交換に伴い回収された旧機種の機台については、産業廃棄物として所定の手続を経て焼却処理等されていた。しかし、近時は、資源の有効利用等の見地から、遊技機を構成する各種遊技機構成部材（遊技盤等）のリサイクル（再利用）が法的にも提唱・奨励されている。そのため、遊技機メーカでは、既設の遊技機における一部の遊技機構成部材（例えば遊技盤）のみを従前とは異なる新たな遊技環境・遊技演出等を提供し得るものに交換することでもって、新機種の開発・導入を図ることとし、既設の遊技機における大半の遊技機構成部材が有効に再利用されるように工夫している。
【０００３】
また、遊技機メーカでは、新しい遊技機構成部材（例えば遊技盤）との交換に基づき回収された旧い遊技機構成部材についても、当該旧い遊技機構成部材の構成素材・部品等で再利用可能な素材・部品等がある場合には、それらの分離・分別作業を実施することにより、更なる資源の有効利用等に貢献している。従って、このような新旧の遊技機構成部材の交換を行うとした場合には、遊技機メーカ側から遊技場側へ交換に係る新たな遊技機構成部材を梱包搬送する一方で、遊技場側から遊技機メーカ側へは交換された旧い遊技機構成部材を梱包搬送するという作業が必要になる。そこで、近時は、かかる新旧遊技機構成部材を梱包搬送する際に当該各遊技機構成部材を安定状態にて梱包可能な梱包用容器が種々提案されている。
【０００４】
例えば、特許文献１に記載の梱包用容器（遊技盤搬送用容器）は、遊技機構成部材の一種である遊技盤を梱包するために提案された容器であり、組立てた際に略直方体状をなす段ボール箱と、一枚の長板状（シート状）をなす仕切部材とから構成されている。この仕切部材は、段ボール箱の開口面積と略同一の大きさをなす中央部と、その中央部の両側に折れ目線を介して夫々連設された左右の両側部とからなり、それら左右両側部は前記折れ目線のところで直角に上方へ折れ曲がって中央部から起立した状態を取り得るように構成されている。また、前記仕切部材における左右の両側部の一面（上面）側には、段ボールシートを重ねて所定の突出高さとなるように形成された複数対の保持部材からなる保持手段が接着固定されており、当該保持手段における各対の保持部材同士の間隔は遊技盤の側端部を挟持可能な間隔に設定されている。
【０００５】
そして、以上のような構成からなる梱包用容器を使用して遊技盤を梱包する際には、まず、折り畳み状態で保管されていた段ボール箱が略直方体状をなすように拡開され、該段ボール箱内に前記仕切部材の中央部が押し込まれる。すると、その仕切部材の中央部が段ボール箱の底面上に載置されると共に、その仕切部材における前記左右の両側部が直角に上方へ折れ曲がり段ボール箱の両側内面に沿った起立状態となる。そのため、段ボール箱における両側内面部分には、前記各対の保持部材が夫々対向するように配置されることになる。そして、その状態において、遊技盤を段ボール箱内に上方から当該遊技盤の側端部が各対の保持部材同士の間へ挿入されるように下降させると、前記遊技盤が、梱包用容器内へ各対の保持部材からなる保持手段により直立状態を維持した安定状態にて梱包収納される。
【特許文献１】特開２００２−３３２０３３号公報（請求項２、［００３９］、図１）
【発明の開示】
【発明が解決しようとする課題】
【０００６】
ところが、上記特許文献１の梱包用容器では、段ボール箱と仕切部材とが別体構成になっているため、当該梱包用容器を保管している間に、前記仕切部材を紛失してしまうという虞があった。しかも、この仕切部材の場合は、その中央部に連設された両側部に保持手段として機能する保持部材を一体化しているため、仕切部材の紛失は同時に保持部材（保持手段）を紛失したことにもなる。なお、そのように仕切部材を紛失した場合でも、汎用の段ボールシートを所定形状にカットすれば、仕切機能を発揮する仕切部材の代用品は簡単に調達することができる。しかし、特許文献１に記載の仕切部材のように保持機能を発揮する保持手段（保持部材）までが一体化された特徴的構成の仕切部材ともなると、そのような仕切部材は単に汎用の段ボールシートを所定形状にカットしただけでは得られないことから、その代用品が簡単に調達できるものではなかった。その結果、その梱包用容器を使用する際には、当該梱包用容器が本来は具備しているところの保持手段により提供される梱包対象物品（遊技盤等）を安定保持するという作用効果を享受できなくなるという問題があった。
【０００７】
本発明は、このような事情に鑑みてなされたものであり、その目的は、梱包使用時には保持手段が梱包対象物品を安定保持するという本来予定の保持機能を繰り返し確実に発揮することができる梱包用容器を提供することにある。
【課題を解決するための手段】
【０００８】
上記目的を達成させるために、請求項１に記載の発明は、梱包対象物品を収容可能な容体形状をなす容器本体に前記梱包対象物品を容器本体内において移動不能に保持するための保持手段を一体化したことを要旨とする。
【０００９】
請求項２に記載の発明は、請求項１に記載の梱包用容器において、前記容器本体は、方形状をなす前後左右の各側面部が平面視において平行四辺形を形成するように四角環状に繋がってなる側壁部と、当該側壁部の下端縁に折り曲げ可能な態様で連設された底片部と、前記側壁部の上端縁に折り曲げ可能な態様で連設された蓋片部とから構成されていることを要旨とする。
【００１０】
請求項３に記載の発明は、請求項２に記載の梱包用容器において、前記保持手段は、前記底片部及び蓋片部のうち少なくとも何れか一方に一体化されていることを要旨とする。
請求項４に記載の発明は、請求項３に記載の梱包用容器において、前記保持手段は、前記底片部及び蓋片部のうち少なくとも何れか一方の所定部位が所定の保持手段形成態様に変形又は加工されることで形成されることを要旨とする。
【００１１】
請求項５に記載の発明は、請求項３又は請求項４に記載の梱包用容器において、前記保持手段は、前記底片部及び蓋片部のうち少なくとも何れか一方の自由端側部位が容器本体の内方へ向けて折り曲げられることで形成されることを要旨とする。
【００１２】
請求項６に記載の発明は、請求項１〜請求項５のうちいずれか一項に記載の梱包用容器において、前記容器本体内の収容空間を複数の梱包対象物品を別々に収容可能な複数の収容空間に仕切るための仕切手段を更に備えたことを要旨とする。
【００１３】
請求項７に記載の発明は、請求項６に記載の梱包用容器において、前記仕切手段は、前記容器本体に一体化されていることを要旨とする。
請求項８に記載の発明は、請求項７に記載の梱包用容器において、前記仕切手段は、折り畳み可能な板状体であることを要旨とする。
【発明の効果】
【００１４】
梱包使用時には保持手段が梱包対象物品を安定保持するという本来予定の保持機能を繰り返し確実に発揮することができる。
【発明を実施するための最良の形態】
【００１５】
以下、本発明を具体化した梱包用容器の一実施形態を図１〜図７に基づき説明する。
図１、図２及び図７に示すように、本実施形態の梱包用容器１０は、合成樹脂からなり、拡開状態（組立て状体）において梱包対象物品を収容可能な容体形状をなす容器本体１１と、当該容器本体１１に一体化された折り畳み可能な態様の板状体１２とから構成されている。前記容器本体１１は、方形状（本実施形態では矩形状）をなす各側面部（即ち、前側面部１３ａ、右側面部１３ｂ、後側面部１３ｃ及び左側面部１３ｄ）が平面視において平行四辺形を形成するように四角環状に繋がってなる側壁部１３を備えている。また、前記側壁部１３を構成する各側面部１３ａ〜１３ｄのうち、右側面部１３ｂ及び左側面部１３ｄには、作業者が梱包用容器１０を持つ際に手を差し入れるための手差込孔１４が設けられると共に、左側面部１３ｄには更に荷物伝票等を差し込むための伝票差込部１５が設けられている。
【００１６】
また、前記各側壁部１３を構成する各側面部１３ａ〜１３ｄの各下端縁には、容器本体１１の底部１６を形成するための各底片部１６ａ〜１６ｄが折り曲げ可能な態様で夫々連設されている。具体的には、前側面部１３ａには前底片部１６ａ、右側面部１３ｂには右底片部１６ｂ、後側面部１３ｃには後底片部１６ｃ、左側面部１３ｄには左底片部１６ｄが夫々連設されている。前記各底片部１６ａ〜１６ｄは矩形状をなしており、前底片部１６ａと後底片部１６ｃ同士、右底片部１６ｂと左底片部１６ｄ同士は、夫々同じ大きさ形状に形成されている。また、前底片部１６ａ及び後底片部１６ｃの短手方向における長さは、前記右側面部１３ｂ（左側面部１３ｄ）の長手方向における長さのほぼ半分の長さとなっている。このため、前記各側面部１３ａ〜１３ｄの下端縁に沿って各底片部１６ａ〜１６ｄを容器本体１１の内方側へ各側面部１３ａ〜１３ｄに対して夫々直角となるように折り曲げると、それら各底片部１６ａ〜１６ｄにより梱包用容器１０（容器本体１１）の底部１６が形成される。なお、その際には、右底片部１６ｂ及び左底片部１６ｄを先に折り曲げ、次に前底片部１６ａ及び後底片部１６ｃを折り曲げると、梱包用容器１０（容器本体１１）は前底片部１６ａと後底片部１６ｃの自由端部同士が突き合わせ状態となり、当該梱包用容器１０の下方側が閉口される。
【００１７】
また、前記右底片部１６ｂ及び左底片部１６ｄには、当該右底片部１６ｂ及び左底片部１６ｄの各自由端側部位を右底片部１６ｂ及び左底片部１６ｄの長手方向に沿って前記容器本体１１の内方側へ折り曲げ、当該折り曲げられた各自由端側部位（所定部位）を折り返して重合することで、所定厚みの重合部１７ｂ，１７ｄが夫々形成される。即ち、前記右底片部１６ｂ及び左底片部１６ｄの各自由端側部位には、当該各底片部１６ｂ，１６ｄを内方側に折り曲げて底部１６を形成したときに段差状をなす重合部１７ｂ，１７ｄが所定厚み（高さ）をもって形成される。従って、前記各重合部１７ｂ，１７ｄは、梱包用容器１０に梱包対象物品を収容する際に、各重合部１７ｂ，１７ｄの間に形成された空間において、梱包対象物品の一部（下側部）に当接して当該梱包対象物品の一部を移動規制することにより、当該梱包対象物品を容器本体１１内で安定保持するようになっている。つまり、この重合部１７ｂ，１７ｄは、前記右底片部１６ｂ及び左底片部１６ｄの各所定部位（自由端側部位）を折り返して重合する（保持手段形成態様に変形する）ことで、梱包対象物品を容器本体１１内において移動不能に保持するための保持手段として機能する。
【００１８】
一方、前記側壁部１３を構成する各側面部１３ａ〜１３ｄの上端縁には、容器本体１１の蓋部１８を形成するための各蓋片部１８ａ〜１８ｄが折り曲げ可能な態様で夫々連設されている。具体的には、前側面部１３ａには前蓋片部１８ａ、右側面部１３ｂには右蓋片部１８ｂ、後側面部１３ｃには後蓋片部１８ｃ、左側面部１３ｄには左蓋片部１８ｄが夫々連設されている。前記各蓋片部１８ａ〜１８ｄは矩形状をなしており、前蓋片部１８ａと後蓋片部１８ｃ同士、右蓋片部１８ｂと左蓋片部１８ｄ同士は、夫々同じ大きさ形状に形成されている。また、前蓋片部１８ａ及び後蓋片部１８ｃの短手方向における長さは、前記右側面部１３ｂ（左側面部１３ｄ）の長手方向における長さのほぼ半分の長さとなっている。このため、前記各側面部１３ａ〜１３ｄの上端縁に沿って、当該各蓋片部１８ａ〜１８ｄを容器本体１１の内方側へ各側面部１３ａ〜１３ｄに対して夫々直角となるように折り曲げると、それら各蓋片部１８ａ〜１８ｄにより梱包用容器１０（容器本体１１）の蓋部１８が形成される。なお、この際には、右蓋片部１８ｂ及び左蓋片部１８ｄを先に折り曲げ、次に前蓋片部１８ａ及び後蓋片部１８ｃを折り曲げると、梱包用容器１０（容器本体１１）は、前蓋片部１８ａと後蓋片部１８ｃの自由端部同士が付き合わせ状態となり封緘される。
【００１９】
また、前記右蓋片部１８ｂ及び左蓋片部１８ｄの各自由端側には、長手方向に沿って折れ目線１９ｂ，１９ｄが夫々形成されている。そして、これら右蓋片部１８ｂ及び左蓋片部１８ｄには、右蓋片部１８ｂ及び左蓋片部１８ｄの各自由端側部位（所定部位）を各折れ目線１９ｂ，１９ｄに沿って前記容器本体１１の内方側へ夫々折り曲げることで、折曲げ部２０ｂ，２０ｄが形成される。そして、梱包用容器１０に梱包対象物品を収容した後に、前記各蓋片部１８ａ〜１８ｄによって封緘する際に、前記各折曲げ部２０ｂ，２０ｄは、梱包対象物品の一部（上側）に付勢力をもって係合することにより、当該梱包対象物品を容器本体１１内で安定保持するようになっている。つまり、この折曲げ部２０ｂ，２０ｄは、前記右蓋片部１８ｂ及び左蓋片部１８ｄの各所定部位（自由端側部位）を折り曲げる（保持手段形成態様に変形する）ことで、梱包対象物品を容器本体１１内において移動不能に保持するための保持手段として機能する。
【００２０】
また、前記右蓋片部１８ｂ及び左蓋片部１８ｄには、前記各折れ目線１９ｂ，１９ｄよりも固定端側に荷解孔２１が夫々設けられている。このため、荷解きを行う際に、荷解作業者が当該各荷解孔２１に手をかけて前記右蓋片部１８ｂ及び左蓋片部１８ｄを開放状態にすることで、梱包対象物品は、折曲げ部２０ｂ，２０ｄによる保持状態から開放される。
【００２１】
一方、前記板状体１２は、矩形状をなしており、該板状体１２の短手方向における長さは、各側面部１３ａ〜１３ｄの図２において紙面に直交する方向における長さと同等である一方、当該板状体１２の長手方向における長さは、図１の矢印方向における前側面部１３ａの長さ及び右側面部１３ｂの長さを加算した長さと同等となっている。また、本実施形態では、この板状体１２の長手方向の両端部は、図２に示すように、容器本体１１の前側面部１３ａの右端部及び後側面部１３ｃの左端部に接着部Ａを介して夫々接着されることにより、容器本体１１に一体化されている。そして、この板状体１２は、梱包用容器１０（容器本体１１）が拡開状態をなしているときには、所謂クランク状をなすことにより、前記容器本体１１内に形成される略直方体状の収容空間Ｓを複数（本実施形態では２つ）の収容空間Ｓ１，Ｓ２に仕切るようになっている。つまり、この板状体１２は、前記容器本体１１内の収容空間Ｓを複数（２つ）の梱包対象物品を別々に収容可能な複数（２つ）の収容空間Ｓ１，Ｓ２に仕切るための仕切手段としての機能を有する。従って、複数（２つ）の梱包対象物品を収容した場合でも、各梱包対象物品が梱包用容器１０内で干渉することはない。
【００２２】
次に、本実施形態において、上記に示す梱包用容器１０に収容する遊技機（例えばパチンコ遊技機等）の一部である遊技盤（梱包対象物品）の概略を以下説明する。
まず、図３に示すように、遊技盤２２における遊技領域２２ａの略中央には、液晶画面からなる可変表示器２３が配設されている。この可変表示器２３では、変動画像（又は画像表示）に基づく表示演出が行われているため、遊技者は、当該表示演出（例えば、図柄組み合わせゲーム等）に興趣を抱きつつ遊技を行っている。また、可変表示器２３の下方には、複数の入賞口２４が設けられており、該各入賞口２４の奥方に設けられた図示しない各センサが遊技球を検知することにより、多数の遊技球（賞球）が払出されるようになっている。
【００２３】
一方で、前記遊技盤２２の裏面側には、図４に示すように、板材（例えば木材等）２５及び遊技機を制御する各種制御基板（例えば表示制御基板等）等が配設されている。また、この板材２５の表面側には、装飾部材２２ｂが配設されている一方、板材２５の裏面側には、遊技球を裏面側において集合させる球通路（集合樋）２５ａが配設されている。また、遊技盤２２の裏面側には、該各種制御基板等を保護するための保護カバー２６が装着されている。因みに、前記収容空間Ｓの図２における上下方向の長さは、この遊技盤２２の図４における左右方向の長さ（厚さ）の２倍程度の長さとされている。また、前記収容空間Ｓの図２における紙面と直交する方向の長さ（高さ）は、この遊技盤２２の鉛直方向の長さ（高さ）と同程度の長さ（高さ）とされている。
【００２４】
以上のように、本実施形態の梱包用容器１０には、前記容器本体１１内の収容空間Ｓが板状体１２によって同じ大きさ形状（本実施形態では略直方体状）をなす２つの収容空間Ｓ１，Ｓ２に仕切られるため、２つの遊技盤２２を同時に収容することができる。なお、この梱包用容器１０に遊技盤２２を収容する際に、２つの遊技盤２２の表面側は、互いに向き合うように収容される。
【００２５】
そこで次に、この梱包用容器１０に遊技盤２２を梱包する作業工程について以下説明する。
始めに、梱包用容器１０の組立て工程を行う。
【００２６】
まず、梱包用容器１０は、シート状に折り畳まれている状態（図１に示す）から拡開状態とされる。具体的には、図７に示すように、各側面部１３ａ〜１３ｄを平面視において長方形をなすように拡開する。そして次に、右底片部１６ｂと左底片部１６ｄを梱包用容器１０の内方側に折り曲げ、次に前底片部１６ａと後底片部１６ｃを梱包用容器１０の内方側に折り曲げると共に、当該前底片部１６ａと後底片部１６ｃの自由端部同士をテープ（例えば布テープ）２７で繋ぎ合わて底部１６を形成する。このとき、板状体１２は、所謂クランク状をなし、梱包用容器１０内の収容空間Ｓを２つの収容空間Ｓ１，Ｓ２に仕切る。このように、本実施形態の梱包用容器１０では、梱包用容器１０を構成する全ての部材が一体化しているため、従来の技術（例えば特許文献１等）のように板状体１２を容器本体１１内に押し込む等の工程を必要としない、即ち、組立て工程の工数が低減される。
【００２７】
次に、遊技盤２２の収容工程に移行する。
まず、図５に示すように、遊技盤２２が、前記板状体１２で仕切られた収容空間Ｓ１に、当該遊技盤２２の表面側を内方側に向けた状態で収容される。このとき、保持手段である重合部１７ｄは、遊技盤２２を収容する前に形成されているため、当該遊技盤２２を容器本体１１内（収容空間Ｓ１）に収容する際の目印となる。また、前記重合部１７ｄが遊技盤２２の下側を移動規制するため、当該遊技盤２２の直立状態が維持される。そして次に、前記収容空間Ｓ２に、遊技盤２２が、当該遊技盤２２の表面側を前記収容空間Ｓ１に収容された遊技盤２２の表面側と板状体１２を挟んで向かい合う状態（即ち、この収容空間Ｓ２において、遊技盤２２の表面側を内方側に向けた状態）で収容される。
【００２８】
すると、図６に示すように、左蓋片部１８ｄの折曲げ部２０ｄを容器本体１１の内方側に折り曲げられた状態で、左蓋片部１８ｄは、前記梱包用容器１０を上面から封緘する。このとき、折曲げ部２０ｄと前記板状体１２により、遊技盤２２の上側が図７における左右方向から挟まれ、遊技盤２２が安定保持される。具体的には、遊技盤２２の上側は、折曲げ部２０ｄからの板状体１２の方向に向けて付与される付勢力に基づき折曲げ部２０ｄと板状体１２とにより図７における左右方向から狭圧された状態で安定保持される。
【００２９】
そして次に、右蓋片部１８ｂの折曲げ部２０ｂを容器本体１１の内方側に折り曲げた状態で、右蓋片部１８ｂは、前記梱包用容器１０を上面から封緘する。このとき、折曲げ部２０ｂと前記板状体１２により、遊技盤２２の上側が図７における左右方向から挟まれ、遊技盤２２が安定保持される。具体的には、遊技盤２２の上側は、折曲げ部２０ｂからの板状体１２の方向に向けて付与される付勢力に基づき折曲げ部２０ｂと板状体１２とにより図７における左右方向から狭圧された状態で安定保持される。そして次に、前蓋片部１８ａと後蓋片部１８ｃを梱包用容器１０の内方に折り曲げ、当該前蓋片部１８ａと後蓋片部１８ｃの自由端部同士をテープで固定し、梱包作業を終了する。
【００３０】
従って、本実施形態では、以下に示す効果を得ることができる。
（１）上記実施形態において、保持手段である重合部１７ｂ，１７ｄ及び折曲げ部２０ｂ，２０ｄは、容器本体１１を構成する右底片部１６ｂ、左底片部１６ｄ、右蓋片部１８ｂ及び左蓋片部１８ｄと夫々一体化しているため、梱包用容器１０の保管中にそれら重合部１７ｂ，１７ｄ及び折曲げ部２０ｂ，２０ｄ等を紛失する虞がない。従って、遊技盤２２の梱包使用時には、重合部１７ｂ，１７ｄ及び折曲げ部２０ｂ，２０ｄは、当該遊技盤２２を安定保持するという本来予定の保持機能を繰り返し確実に発揮することができる。
【００３１】
（２）また、梱包用容器１０を保管する際には、当該梱包用容器１０（容器本体１１）をシート状に折り畳んだ状態でコンパクトに保管できる。一方、梱包使用時には、容器本体１１を拡開し、各底片部１６ａ〜１６ｄ及び各蓋片部１８ａ〜１８ｄを折り畳んで底部１６及び蓋部１８を形成することで簡単に容器本体１１を略直方体形状（遊技盤２２を収容可能な形状）に形成できるので、梱包作業を容易迅速に行うことができる。
【００３２】
（３）右底片部１６ｂ及び左底片部１６ｄには重合部１７ｂ，１７ｄが夫々形成されており、遊技盤２２を容器本体１１に収容する際に当該重合部１７ｂ，１７ｄが目印となるため、遊技盤２２を容易に収容することができる。また、右蓋片部１８ｂ及び左蓋片部１８ｄには折曲げ部２０ｂ，２０ｄが夫々形成されているため、遊技盤２２を収容し各蓋片部１８ａ〜１８ｄにより封緘する際に折曲げ部２０ｂ，２０ｄによって当該遊技盤２２を保持することができる。
【００３３】
（４）また、右底片部１６ｂ、左底片部１６ｄ、右蓋片部１８ｂ及び左蓋片部１８ｄの各自由端側部位を折り曲げることで重合部１７ｂ，１７ｄ及び折曲げ部２０ｂ，２０ｄが夫々形成されるため、保持手段を形成するための別部材（例えば、所定厚の段ボールシート片等）が別途必要とならない。従って、かかる保持手段を備えてなる梱包用容器１０の製造コストを良好に低減することができる。
【００３４】
（５）また、右底片部１６ｂ、左底片部１６ｄには、該右底片部１６ｂ、左底片部１６ｄの各自由端側部位を折り曲げ、該折り曲げた部位を折り返して重合することで重合部（保持手段）１７ｂ，１７ｄが形成されているため、この重合部１７ｂ，１７ｄの剛性を強化することができる。一方で、右蓋片部１８ｂ及び左蓋片部１８ｄには、該右蓋片部１８ｂ及び左蓋片部１８ｄの各自由端側部位を折り曲げることで折曲げ部２０ｂ，２０ｄが形成されている。このため、これら右底片部１６ｂ、左底片部１６ｄ、右蓋片部１８ｂ及び左蓋片部１８ｄの各自由端側部位の折り曲げる位置を変更することによって大きさや形状の異なる種々の梱包対象物品（遊技盤２２）に対応することができる。
【００３５】
（６）容器本体１１内の収容空間Ｓが板状体１２により２つの収容空間Ｓ１，Ｓ２に仕切られるため、各収容空間Ｓ１，Ｓ２において、各遊技盤２２は、当該各遊技盤２２の表面側が板状体１２を挟んで向かい合う状態で収容される。つまり、各遊技盤２２が互いに梱包用容器１０内で干渉することにより、各遊技盤２２の表面側に傷が付く虞を回避することができる。
【００３６】
（７）また、板状体１２は、容器本体１１と一体化しているため梱包用容器１０の保管中に紛失する虞がない。従って、梱包使用時には、板状体（保持手段）１２が容器本体１１内の収容空間Ｓを２つの収容空間Ｓ１，Ｓ２に仕切るという本来予定の仕切機能を繰り返し発揮することができる。
【００３７】
（８）また、板状体１２は、折り畳むことができるため、梱包用容器１０をシート状に折り畳んでコンパクトに保管する際の障害となることもない。また、たとえ仕切手段である板状体１２を紛失したとしても、この板状体１２には、保持手段等の別途機能を有していないため、代用品を簡単に調達することができる。
【００３８】
（９）容器本体１１は、合成樹脂で形成されているため、段ボール等と比較して耐久性に優れており、繰り返し再利用することができる。
（１０）板状体１２もまた、合成樹脂で形成されているため、段ボール等と比較して再利用に適している。
【００３９】
なお、本実施形態は以下のような別の実施形態（別例）に変更してもよい。
・前記実施形態では、板状体１２は、合成樹脂で形成されているが、任意の原材（例えば段ボール等）で形成してもよい。
【００４０】
・前記実施形態では、容器本体１１は、合成樹脂で形成されているが、任意の原材（例えば段ボール等）で形成してもよい。
・前記実施形態では、板状体１２は、所謂クランク状に折り畳み可能な態様とされているが、図２においてコの字状に折り畳み可能な態様の板状体であってもよい。また、仕切手段は、折り畳み不能（変形不可）のものや板状体１２ではない任意の形状をなすものであってもよい。
【００４１】
・前記実施形態では、板状体１２は、該板状体１２の長手方向における両端部が接着部Ａを介して前側面部１３ａ及び後側面部１３ｃに夫々接着することで、容器本体１１と一体化しているが、前記両端部のうち何れか一方のみが接着部Ａを介して容器本体１１と接着するような構成でもよい。また、板状体１２と容器本体１１を一体化させなくてもよい。
【００４２】
・前記実施形態では、容器本体１１内の収容空間Ｓが２つの遊技盤２２を別々に収容できるように２つの収容空間Ｓ１，Ｓ２に仕切られるようになっているが、例えば収容空間Ｓを４つの収容空間に仕切られるようにする等、仕切ることができる収容空間の数は任意に設定してもよい。
【００４３】
・前記実施形態において、板状体１２を設けずに、各折曲げ部２０ｂ，２０ｄの互いに対向する方向へ働く付勢力に基づき、収容空間Ｓに収容された梱包対象物品を両折曲げ部２０ｂ，２０ｄで狭圧しながら安定保持するようにしてもよい。この場合において、例えば収容空間Ｓに収容する梱包対象物品の数は任意に設定してもよい。
【００４４】
・前記実施形態では、右底片部１６ｂ、左底片部１６ｄ、右蓋片部１８ｂ及び左蓋片部１８ｄの各自由端側部位を折り曲げることで保持手段（重合部１７ｂ，１７ｄ及び折曲げ部２０ｂ，２０ｄ）が形成されているが、図８に示すように、容器本体１１の一部（所定部位）に切り込み形成された舌片２８を設けることで保持手段を形成するようにしてもよい。例えば、前側面部１３ａ及び後側面部１３ｃの中心部付近に舌片２８を設けてもよい。このように構成すると、舌片（保持手段）２８の位置及び個数等を簡単に追加・変更することができる。
【００４５】
・前記実施形態では、右底片部１６ｂ及び左底片部１６ｄには重合部１７ｂ，１７ｄが、右蓋片部１８ｂ及び左蓋片部１８ｄには折曲げ部２０ｂ，２０ｄが夫々形成されているが、各底片部１６ｂ，１６ｄ又は各蓋片部１８ｂ，１８ｄの一方のみに保持手段（重合部又は折曲げ部等）を形成するようにしてもよい。また、前蓋片部１８ａ及び後蓋片部１８ｃ（前底片部１６ａ及び後底片部１６ｃ）に保持手段を形成するようにしてもよい。
【００４６】
・前記実施形態では、右底片部１６ｂ、左底片部１６ｄ、右蓋片部１８ｂ及び左蓋片部１８ｄの各自由端側部位を折り曲げることで保持手段（重合部１７ｂ，１７ｄ及び折曲げ部２０ｂ，２０ｄ）が形成されているが、各底片部１６ｂ，１６ｄ及び蓋片部１８ｂ，１８ｄに所定厚の段ボールシート等を固着させることで保持手段を形成するようにしてもよい。
【００４７】
・前記実施形態では、右底片部１６ｂ、左底片部１６ｄ、右蓋片部１８ｂ及び左蓋片部１８ｄに保持手段（重合部１７ｂ，１７ｄ及び折曲げ部２０ｂ，２０ｄ）が夫々形成されているが、容器本体１１の任意の部分に保持手段を設けてもよい。例えば、各側面部１３ａ〜１３ｄの一部に保持手段を設けてもよい。
【００４８】
・前記実施形態では、略直方体状をなすように梱包用容器１０は構成されているが、梱包用容器（遊技盤２２）を収容できる形状であれば任意の形状となってもよい。例えば、立方体状をなすようにしてもよい。
【００４９】
・前記実施形態では、梱包用容器１０に遊技盤（梱包対象物品）２２を収容するようになっているが、例えば絵画等、任意の梱包対象物品を収容してもよい。
次に、上記実施形態及び別例から把握できる技術的思想について以下に追記する。
【００５０】
（イ）前記保持手段は、前記容器本体の所定部位に切り込み形成された容器本体の内方へ向けての折り曲げ可能な舌片により構成されている請求項２〜請求項４のうち何れか一項に記載の梱包用容器。
【００５１】
（ロ）前記容器本体は合成樹脂で形成されている請求項１〜請求項８、前記技術的思想（イ）のうち何れか一項に記載の梱包用容器。
（ハ）前記仕切手段は合成樹脂で形成されている請求項６〜請求項８、前記技術的思想（イ），（ロ）のうち何れか一項に記載の梱包用容器。
【図面の簡単な説明】
【００５２】
【図１】シート状をなす梱包用容器の斜視図。
【図２】収容可能な容体形状をなす梱包用容器の正面図。
【図３】パチンコ遊技機における遊技盤の正面図。
【図４】パチンコ遊技機における遊技盤の側面図。
【図５】遊技盤の収容過程を説明する説明図。
【図６】遊技盤の収容過程を説明する説明図。
【図７】収容可能な容体形状をなす梱包用容器の斜視図。
【図８】収容可能な容体形状をなす梱包用容器の別例を示す斜視図。
【符号の説明】
【００５３】
１０…梱包用容器、１１…容器本体、１２…板状体（仕切手段）、１３…側壁部、１３ａ…前側面部（側面部）、１３ｂ…右側面部（側面部）、１３ｃ…後側面部（側面部）、１３ｄ…左側面部（側面部）、１６ａ…前底片部（底片部）、１６ｂ…右底片部（底片部）、１６ｃ…後底片部（底片部）、１６ｄ…左底片部（底片部）、１７ｂ，１７ｄ…重合部（保持手段）、１８ａ…前蓋片部（蓋片部）、１８ｂ…右蓋片部（蓋片部）、１８ｃ…後蓋片部（蓋片部）、１８ｄ…左蓋片部（蓋片部）、２０ｂ，２０ｄ…折曲げ部（保持手段）、２２…遊技盤（梱包対象物品）、２８…舌片（保持手段）、Ｓ，Ｓ１，Ｓ２…収容空間。
【図１】
2005145489.tif 000003
【図２】
2005145489.tif 000004
【図３】
2005145489.tif 000005
【図４】
2005145489.tif 000006
【図５】
2005145489.tif 000007
【図６】
2005145489.tif 000008
【図７】
2005145489.tif 000009
【図８】
2005145489.tif 000010
【手続補正書】
【提出日】平成16年10月27日(2004.10.27)
【手続補正１】
【補正対象書類名】明細書
【補正対象項目名】００１５
【補正方法】変更
【補正の内容】
【００１５】
以下、本発明を具体化した梱包用容器の一実施形態を図１〜図７に基づき説明する。
図１、図２及び図７に示すように、本実施形態の梱包用容器１０は、合成樹脂からなり、拡開状態（組立て状態）において梱包対象物品を収容可能な容体形状をなす容器本体１１と、当該容器本体１１に一体化された折り畳み可能な態様の板状体１２とから構成されている。前記容器本体１１は、方形状（本実施形態では矩形状）をなす各側面部（即ち、前側面部１３ａ、右側面部１３ｂ、後側面部１３ｃ及び左側面部１３ｄ）が平面視において平行四辺形を形成するように四角環状に繋がってなる側壁部１３を備えている。また、前記側壁部１３を構成する各側面部１３ａ〜１３ｄのうち、右側面部１３ｂ及び左側面部１３ｄには、作業者が梱包用容器１０を持つ際に手を差し入れるための手差込孔１４が設けられると共に、左側面部１３ｄには更に荷物伝票等を差し込むための伝票差込部１５が設けられている。